(57)【特許請求の範囲】
【請求項１】
放送局から放送される複数の番組を受信し、これら複数の番組のうちで任意の番組を選択してユーザに提示する放送受信装置において、
前記放送局から放送される番組の番組情報を取得する番組情報取得手段と、
現在時刻及び現在位置情報を取得する時刻／位置情報取得手段と、
情報を記憶する記憶手段と、
当該放送受信装置の動作を制御する制御手段とを備え、
前記制御手段は、過去に選択した番組の中で所定の条件を満足した番組の内容及び、その番組が選択されたときの時刻及び位置情報をデータベースとして前記記憶手段に記憶させると共に、前記記憶手段に記憶されたデータベースと、前記番組情報取得手段により取得された番組情報と、前記時刻／位置情報取得手段により取得された現在時刻及び現在位置情報とに基づいて、受信した複数の番組のうちでユーザが現時点で要求するであろう番組を予測し、番組選択の指標とすることを特徴とする放送受信装置。
【請求項２】
前記制御手段による番組の選択に応じて、ユーザに提示する番組の切り換えを行う番組切り換え手段を備えることを特徴とする請求項１に記載の放送受信装置。
【請求項３】
前記番組切り換え手段は、当該放送受信装置の起動直後又は切り換え前の番組終了時に、ユーザに提示する番組の切り換えを行うことを特徴とする請求項２に記載の放送受信装置。
【請求項４】
前記制御手段により選択された番組を記録媒体に記録する番組記録手段を備えることを特徴とする請求項１又は２に記載の放送受信装置。
【請求項５】
前記番組切り換え手段は、当該放送受信装置の起動直後又は切り換え前の番組終了時に、ユーザに提示する番組を前記番組記録手段により記録媒体に記録された番組に切り換えることを特徴とする請求項４に記載の放送受信装置。
【請求項６】
前記制御手段は、過去に選択した番組の中で、所定の時間内に切り換えが行われなかった番組、又は区切りの良いところまで切り換えが行われなかった番組、又は受信感度が低下するまで切り換えが行われなかった番組に関する情報及びその番組が選択されたときの状況をデータベースとして前記記憶手段に記憶させることを特徴とする請求項１乃至５の何れかに記載の放送受信装置。
【請求項７】
前記制御手段は、前記所定の条件を満足した番組の合計選択回数を前記記憶手段に記憶させておくと共に、前記記憶手段に記憶された番組の合計選択回数に基づいてユーザの嗜好を判断し、受信した複数の番組のうちでユーザが現時点で要求するであろう番組をユーザの嗜好を加味して予測し、番組選択の指標とすることを特徴とする請求項１乃至６の何れかに記載の放送受信装置。
【請求項８】
前記制御手段は、前記所定の条件を満足した番組の属するジャンルの合計選択回数を前記記憶手段に記憶させておくと共に、前記記憶手段に記憶された番組の属するジャンルの合計選択回数に基づいてジャンルに応じたユーザの嗜好を判断し、受信した複数の番組のうちでユーザが現時点で要求するであろう番組をジャンルに応じたユーザの嗜好を加味して予測し、番組選択の指標とすることを特徴とする請求項１乃至７の何れかに記載の放送受信装置。
【請求項９】
前記制御手段は、前記所定の条件を満足した番組が選択されたときのユーザの属性情報を記憶手段に記憶させておくと共に、受信した複数の番組のうちでユーザが現時点で要求するであろう番組をユーザの属性情報を加味して予測し、番組選択の指標とすることを特徴とする請求項１乃至８の何れかに記載の放送受信装置。
【請求項１０】
前記制御手段は、前記所定の条件を満足した番組が選択されたときの状況として、当該放送受信装置が起動されてから前記番組が選択されるまでの経過時間及び順番を前記記憶手段に記憶させておくと共に、受信した複数の番組のうちでユーザが現時点で要求するであろう番組を、前記経過時間及び順番を加味して予測し、番組選択の指標とすることを特徴とする請求項１乃至９の何れかに記載の放送受信装置。
【発明の詳細な説明】
【０００１】
【発明の属する技術分野】
本発明は、放送局から放送される複数の番組を受信し、これら複数の番組のうちで任意の番組を選択してユーザに提示する放送受信装置に関する。
【０００２】
【従来の技術】
従来、放送局から放送されるテレビジョン放送やラジオ放送等の複数の番組の中から任意の番組を選択する場合、ユーザが自らチャンネルを切り換えて要求する番組を選択することが一般的に行われていた。
【０００３】
近年では、デジタル放送が本格的に開始されたことに伴い、放送受信装置により受信可能な番組の数が飛躍的に増大してきている。このように受信可能な番組の数が増えれば、ユーザにとって番組選択の幅が広がり、ユーザの好みに最も適合した番組を視聴できる可能性が高まることになる。その反面で、放送受信装置により受信される番組の数があまりに多いと、これらの番組の中からユーザが求める番組を適切且つ迅速に選択することが極めて困難になってくる。
【０００４】
このような問題に対処するために、ユーザによる番組選択を支援する技術が様々提案されている。例えば、特開平２０００−４８０２９号公報等には、ユーザに自らの嗜好を示すキーワード情報を予め登録させておき、このキーワード情報に基づいて受信する番組や記録媒体に記録する番組を検索する技術が開示されている。
【０００５】
このように、ユーザにより登録されたキーワード情報に基づいて受信する番組や記録媒体に記録する番組を検索するようにすれば、ユーザは自らの嗜好に適合する番組を比較的容易に選択することが可能となり、ユーザによる番組選択の負担が軽減されることになる。
【０００６】
【発明が解決しようとする課題】
しかしながら、特開平２０００−４８０２９号公報等にて開示される技術では、ユーザが自らの嗜好を示すキーワード情報を予め登録しておく必要があり、煩雑な作業をユーザに強いることになる。特に、ユーザの嗜好を忠実に反映させた番組選択を行うためには、様々なキーワード情報を細かく登録しておく必要があり、ユーザにとって非常に煩雑なものとなる。
【０００７】
また、ユーザが求める番組は、時刻や場所に応じて変化するものであり、単にユーザの嗜好に応じた番組のみを検索したのでは、ユーザがその時その場所で最も必要とする番組を選択できるとは限らない。特に、自動車等の移動体に搭載される放送受信装置を考えると、移動に伴って受信可能な番組も変化することから、番組を選択する際に時刻や場所等の情報を反映させることが望まれる。
【０００８】
本発明は、以上のような従来の実情に鑑みて創案されたものであって、ユーザに煩雑な作業を強いることなく、視聴時刻や視聴場所に応じてユーザが要求するであろう番組を適切に選択できる放送受信装置を提供することを目的としている。
【０００９】
【課題を解決するための手段】
請求項１に記載の発明は、放送局から放送される複数の番組を受信し、これら複数の番組のうちで任意の番組を選択してユーザに提示する放送受信装置において、前記放送局から放送される番組の番組情報を取得する番組情報取得手段と、現在時刻及び現在位置情報を取得する時刻／位置情報取得手段と、情報を記憶する記憶手段と、当該放送受信装置の動作を制御する制御手段とを備え、前記制御手段が、過去に選択した番組の中で所定の条件を満足した番組の内容及び、その番組が選択されたときの時刻及び位置情報をデータベースとして前記記憶手段に記憶させると共に、前記記憶手段に記憶されたデータベースと、前記番組情報取得手段により取得された番組情報と、前記時刻／位置情報取得手段により取得された現在時刻及び現在位置情報とに基づいて、受信した複数の番組のうちでユーザが現時点で要求するであろう番組を予測し、番組選択の指標とすることを特徴としている。
【００１０】
この請求項１に記載の放送受信装置では、ユーザに提示する番組が選択されると、その選択された番組が所定の条件を満足するかどうかが、制御手段によって判断される。そして、選択された番組が所定の条件を満足するときには、その番組の内容や、その番組が選択されたときの時刻及び位置情報が記憶手段に記憶される。すなわち、記憶手段には、過去に選択した番組の中で所定の条件を満足した番組の内容やその番組が選択されたときの時刻及び位置情報が、データベースとして記憶されることになる。
【００１１】
また、この請求項１に記載の放送受信装置では、放送局から放送される番組の番組情報が番組情報取得手段により取得され、現在時刻及び現在位置情報が時刻／位置情報取得手段により取得される。そして、ユーザに提示する番組を選択するときは、記憶手段に記憶されたデータベースから過去の番組選択履歴が把握され、番組情報取得手段により取得された番組情報から放送される番組の内容が把握され、時刻／位置情報取得手段により取得された現在時刻及び現在位置情報から現在時刻や現在位置が把握される。そして、これらに基づいて、受信した複数の番組のうちでユーザが現時点で要求するであろう番組が制御手段により予測され、番組選択の指標とされる。
【００１２】
また、請求項２に記載の発明は、請求項１に記載の放送受信装置において、前記制御手段による番組の選択に応じて、ユーザに提示する番組の切り換えを行う番組切り換え手段を備えることを特徴としている。
【００１３】
この請求項２に記載の放送受信装置では、制御手段による番組の選択に応じて、番組切り換え手段により番組の切り換えが行われることになる。
【００１４】
また、請求項３に記載の発明は、請求項２に記載の放送受信装置において、前記番組切り換え手段が、当該放送受信装置の起動直後又は切り換え前の番組終了時に、ユーザに提示する番組の切り換えを行うことを特徴としている。
【００１５】
この請求項３に記載の放送受信装置では、当該放送受信装置の起動直後又は切り換え前の番組終了時に、番組切り換え手段による番組の切り換えが行われることになる。
【００１６】
また、請求項４に記載の発明は、請求項１又は２に記載の放送受信装置において、前記制御手段により選択された番組を記録媒体に記録する番組記録手段を備えることを特徴としている。
【００１７】
この請求項４に記載の放送受信装置では、制御手段により選択された番組が、番組記録手段により記録媒体に記録されることになる。
【００１８】
また、請求項５に記載の発明は、請求項４に記載の放送受信装置において、前記番組切り換え手段が、当該放送受信装置の起動直後又は切り換え前の番組終了時に、ユーザに提示する番組を前記番組記録手段により記録媒体に記録された番組に切り換えることを特徴としている。
【００１９】
この請求項５に記載の放送受信装置では、当該放送受信装置の起動直後又は切り換え前の番組終了時に、番組切り換え手段による番組の切り換えが行われ、ユーザに提示する番組が番組記録手段により記録媒体に記録された番組に切り換えられることになる。
【００２０】
また、請求項６に記載の発明は、請求項１乃至５の何れかに記載の放送受信装置において、前記制御手段が、過去に選択した番組の中で、所定の時間内に切り換えが行われなかった番組、又は区切りの良いところまで切り換えが行われなかった番組、又は受信感度が低下するまで切り換えが行われなかった番組に関する情報及びその番組が選択されたときの状況をデータベースとして前記記憶手段に記憶させることを特徴としている。
【００２１】
この請求項６に記載の放送受信装置では、ユーザに提示する番組が選択されたときに、その選択された番組が所定の条件を満足するかどうかの判断として、所定の時間内に切り換えが行われなかったがどうか、又は区切りの良いところまで切り換えが行われなかったかどうか、又は受信感度が低下するまで切り換えが行われなかったかどうかが制御手段により判断される。そして、選択された番組が、所定の時間内に切り換えが行われなかったとき、又は区切りの良いところまで切り換えが行われなかったとき、又は受信感度が低下するまで切り換えが行われなかったときには、その番組に関する情報及びその番組が選択されたときの状況がデータベースとして記憶手段に記憶されることになる。
【００２２】
また、請求項７に記載の発明は、請求項１乃至６の何れかに記載の放送受信装置において、前記制御手段が、前記所定の条件を満足した番組の合計選択回数を前記記憶手段に記憶させておくと共に、前記記憶手段に記憶された番組の合計選択回数に基づいてユーザの嗜好を判断し、受信した複数の番組のうちでユーザが現時点で要求するであろう番組をユーザの嗜好を加味して予測し、番組選択の指標とすることを特徴としている。
【００２３】
この請求項７に記載の放送受信装置では、選択された番組が所定の条件を満足したときに、この番組の合計選択回数が記憶手段に記憶される。そして、ユーザに提示する番組を選択する際は、この記憶手段に記憶された番組の合計選択回数に基づいてユーザの嗜好が制御手段により判断され、このユーザの嗜好を加味してユーザが現時点で要求するであろう番組が予測され、番組選択の指標とされる。
【００２４】
また、請求項８に記載の発明は、請求項１乃至７の何れかに記載の放送受信装置において、前記制御手段が、前記所定の条件を満足した番組の番組の属するジャンルの合計選択回数を前記記憶手段に記憶させておくと共に、前記記憶手段に記憶された番組の属するジャンルの合計選択回数に基づいてジャンルに応じたユーザの嗜好を判断し、受信した複数の番組のうちでユーザが現時点で要求するであろう番組をジャンルに応じたユーザの嗜好を加味して予測し、番組選択の指標とすることを特徴としている。
【００２５】
この請求項８に記載の放送受信装置では、選択された番組が所定の条件を満足したときに、この番組の属するジャンルの合計選択回数が記憶手段に記憶される。そして、ユーザに提示する番組を選択する際は、この記憶手段に記憶された番組の属するジャンルの合計選択回数に基づいてジャンルに応じたユーザの嗜好が制御手段により判断され、このジャンルに応じたユーザの嗜好を加味してユーザが現時点で要求するであろう番組が予測され、番組選択の指標とされる。
【００２６】
また、請求項９に記載の発明は、請求項１乃至８の何れかに記載の放送受信装置において、前記制御手段が、前記所定の条件を満足した番組が選択されたときのユーザの属性情報を記憶手段に記憶させておくと共に、受信した複数の番組のうちでユーザが現時点で要求するであろう番組をユーザの属性情報を加味して予測し、番組選択の指標とすることを特徴としている。
【００２７】
この請求項９に記載の放送受信装置では、選択された番組が所定の条件を満足したときに、この番組が選択されたときのユーザの属性情報が記憶手段に記憶される。そして、ユーザに提示する番組を選択する際は、この記憶手段に記憶されたユーザの属性情報を加味してユーザが現時点で要求するであろう番組が制御手段により予測され、番組選択の指標とされる。
【００２８】
また、請求項１０に記載の発明は、請求項１乃至９の何れかに記載の放送受信装置において、前記制御手段が、前記所定の条件を満足した番組が選択されたときの状況として、当該放送受信装置が起動されてから前記番組が選択されるまでの経過時間及び順番を前記記憶手段に記憶させておくと共に、受信した複数の番組のうちでユーザが現時点で要求するであろう番組を、前記経過時間及び順番を加味して予測し、番組選択の指標とすることを特徴としている。
【００２９】
この請求項１０に記載の放送受信装置では、選択された番組が所定の条件を満足したときに、この番組が選択されたときの状況として、当該放送受信装置が起動されてからこの番組が選択されるまでの経過時間及び順番が記憶手段に記憶される。そして、ユーザに提示する番組を選択する際は、この記憶手段に記憶された経過時間及び順番を加味してユーザが現時点で要求するであろう番組が制御手段により予測され、番組選択の指標とされる。
【００３０】
請求項１に記載の放送受信装置によれば、放送局から放送される複数の番組のうちでユーザに提示する番組を選択する際に、過去の番組選択履歴を示すデータベースと、放送される番組の内容を示す番組情報と、現在時刻及び現在位置情報とに基づいて、ユーザが現時点で要求するであろう番組が予測され番組選択の指標とされるので、時刻や場所に応じたユーザの視聴傾向を忠実に反映した番組選択を行うことができる。したがって、この放送受信装置によれば、例えば自動車等の移動体に搭載した場合であっても、時刻や場所に応じてユーザが要求する番組を適切に提示することが可能となる。
【００３１】
また、この放送受信装置によれば、キーワード情報を登録するといったような煩雑な作業が不要となるので、ユーザの負担を大幅に軽減することができる。
【００３２】
また、請求項２に記載の放送受信装置によれば、制御手段による番組の選択に応じて、番組切り換え手段により番組の切り換えが行われるので、ユーザによる番組の切り換え操作を不要とし、ユーザの負担を更に軽減することができる。特に、当該放送受信装置を自動車等に搭載した場合には、運転者が番組の切り換え操作を行うことなく求める番組を視聴することができるので、運転者による番組切り換え操作が運転操作に悪影響を及ぼすといった不都合を未然に防止することができる。
【００３３】
また、請求項３に記載の放送受信装置によれば、当該放送受信装置の起動直後又は切り換え前の番組の終了時に、番組切り換え手段による番組の切り換えが行われるので、ユーザに違和感を感じさせることなく番組の切り換えを行うことができる。
【００３４】
また、請求項４に記載の放送受信装置によれば、制御手段により選択された番組が番組記録手段により記録媒体に記録されるので、ユーザが求める番組を必要なときにユーザに提示することができる。
【００３５】
また、請求項５に記載の放送受信装置によれば、当該放送受信装置の起動直後又は切り換え前の番組の終了時に、番組切り換え手段により、ユーザに提示する番組が番組記録手段により記録媒体に記録された番組に切り換えられるので、ユーザに違和感を感じさせることなく、提示する番組を記録媒体に記録された番組に切り換えることができる。
【００３６】
また、請求項６に記載の放送受信装置によれば、過去に選択した番組の中で、所定の時間内に切り換えが行われなかった番組、又は区切りの良いところまで切り換えが行われなかった番組、又は受信感度が低下するまで切り換えが行われなかった番組についてのみ、その番組に関する情報及びその番組選択されたときの状況がデータベースとして記憶手段に記憶されるので、ユーザによる過去の番組視聴傾向を適切に判断して、より適切な番組選択を行うことができる。
【００３７】
また、請求項７に記載の放送受信装置によれば、過去に選択された番組の合計選択回数に基づいてユーザの嗜好が判断され、このユーザの嗜好を加味してユーザが現時点で要求するであろう番組が予測され、番組選択の指標とされるので、ユーザの意向を更に忠実に反映した番組の選択を行うことができる。
【００３８】
また、請求項８に記載の放送受信装置によれば、過去に選択された番組の属するジャンルの合計選択回数に基づいてジャンルに応じたユーザの嗜好が判断され、このジャンルに応じたユーザの嗜好を加味してユーザが現時点で要求するであろう番組が予測され、番組選択の指標とされるので、ユーザの意向を更に忠実に反映した番組の選択を行うことができる。
【００３９】
また、請求項９に記載の放送受信装置によれば、ユーザの属性情報を加味してユーザが現時点で要求するであろう番組が予測され、番組選択の指標とされるので、複数のユーザのそれぞれに対して、各ユーザの視聴傾向を忠実に反映した番組の選択を行うことができる。
【００４０】
また、請求項１０に記載の放送受信装置によれば、過去に選択された番組の選択されるまでの経過時間や順番を加味してユーザが現時点で要求するであろう番組が予測され、番組選択の指標とされるので、ユーザの視聴傾向を更に忠実に反映した番組の選択を行うことができる。
【００４１】
【発明の実施の形態】
以下、本発明の実施の形態を図面を参照して詳細に説明する。なお、ここでは、自動車に搭載される車載オーディオ装置に本発明を適用した例について具体的に説明するが、本発明はここで挙げる例に限定されるものではなく、放送局から放送されるテレビジョン放送やラジオ放送等を受信する放送受信装置に広く適用可能である。
【００４２】
本発明を適用した車載オーディオ装置の一構成例を図１に示す。この図１に示す車載オーディオ装置１は、放送局から放送されるラジオ放送を受信するラジオ放送受信部２を備えている。そして、このラジオ放送受信部２により受信された複数のラジオ番組のうちで、スピーカ３から出力して自動車の乗員に提示するラジオ番組が、番組切り換え部４により切り換えるられるようになっている。
【００４３】
また、この車載オーディオ装置１は、ラジオ放送受信部２により受信されたラジオ番組を記録媒体５に記録し、また、記録媒体５に記録されたラジオ番組或いはその他の音声データを再生する記録再生部６を備えている。そして、この記録再生部６により記録媒体５から再生されたラジオ番組或いはその他の音声データを、必要なときにスピーカ３から出力して自動車の乗員に提示できるようになっている。
【００４４】
また、この車載オーディオ装置１は、自動車の乗員による操作入力を受け付ける操作入力部７と、放送局から放送されるラジオ番組の番組情報を取得する番組情報取得部８と、時刻や位置情報を取得する時刻／位置情報取得部９とを備えており、これら各部からの情報が、当該車載オーディオ装置１全体の動作を制御する制御部１０に供給されるようになされている。
【００４５】
操作入力部７は、起動スイッチボタンやボリュームコントロールボタン等の各種の操作ボタンを有し、これらの操作ボタンが押下されることで、自動車の乗員による操作入力に応じた信号を制御部１０に供給するようになっている。
【００４６】
番組情報取得部８は、放送局から放送されるラジオ番組の番組情報を、例えば通信回線やメモリカード等を介して取得し、取得した番組情報を制御部１０に供給するようになっている。ここで、番組情報とは、放送局から放送されるラジオ番組に関する各種の情報であり、ＥＰＧ（Ｅｌｅｃｔｒｏｎｉｃ  Ｐｒｏｇｒａｍ  Ｇｕｉｄｅ）等の番組表を作成するための情報である。
【００４７】
なお、番組情報がラジオ放送に重畳されて放送局から放送される場合には、番組情報取得部８は上述したラジオ放送受信部２に組み込まれ、このラジオ放送受信部２により受信されたラジオ放送の中から、番組情報を抽出して制御部１０に供給する。
【００４８】
時刻／位置情報取得部９は、例えばＧＰＳ（Ｇｌｏｂａｌ  Ｐｏｓｉｔｉｏｎｉｎｇ  Ｓｙｓｔｅｍ）受信装置等よりなり、ＧＰＳ衛星から送信される信号を受信して、この信号をもとに現在時刻（年月日や曜日も含む）や車載オーディオ装置１が搭載された自動車の現在位置情報を算出し、算出した現在時刻や現在位置情報を制御部１０に供給する。
【００４９】
制御部１０は、例えば、ＣＰＵやＲＯＭ、ＲＡＭ等を有し、ＣＰＵがＲＡＭをワークエリアとして利用してＲＯＭに格納された制御用プログラムを実行することで、車載オーディオ装置１全体の動作を制御するようになっている。具体的には、例えば、操作入力部７に自動車の乗員からの操作入力があり、その操作入力に応じた信号が制御部１０に供給されると、制御部１０のＣＰＵがその操作入力に対応した制御用プログラムを実行することで、自動車の乗員からの操作入力に応じた制御が行われることになる。
【００５０】
また、制御部１０には、過去に自動車の乗員に提示されたラジオ番組の中で所定の条件を満足した番組の内容や、その番組が選択されたときの時刻及び位置情報等、番組選択に関する各種情報がデータベースとして記憶される記憶部１１が接続されている。ここで、番組の内容とは、その番組を特定するための情報であり、例えば、番組名やその番組を放送している放送局、その番組が属するジャンル等をいう。
【００５１】
制御部１０は、この記憶部１１に記憶されたデータベースを参照することで、過去の番組選択履歴を把握し、いつ、どのような場所で、どのようなラジオ番組が選択されて自動車の乗員に提示されたかを認識できるようになっている。そして、制御部１０は、このデータベースから把握される過去の番組選択履歴と、番組情報取得部８から供給される番組情報と、時刻／位置情報取得部９から供給される時刻や位置情報に基づいて、ラジオ放送受信部２により受信された複数のラジオ番組の中から、車載オーディオ装置１が搭載された自動車の乗員が現時点で要求するであろうラジオ番組を予測し、その予測結果を指標として番組の選択を行うようになされている。そして、制御部１０は、番組切り換え部４を制御して、選択したラジオ番組をスピーカ３から出力させ、或いは、記録再生部６を制御して、選択したラジオ番組を記録媒体５に記録させるようになされている。
【００５２】
また、制御部１０は、ラジオ放送受信部２により受信された複数のラジオ番組の中から特定のラジオ番組を選択したときは、この選択したラジオ番組が所定の条件を満足するかどうかを判断する。具体的には、制御部１０は、例えば、選択したラジオ番組が所定の時間内に切り換えが行われなかったがどうか、又は区切りの良いところまで切り換えが行われなかったかどうか、又は受信感度が低下するまで切り換えが行われなかったかどうか等を判断する。そして、制御部１０は、選択したラジオ番組が所定の条件を満足すると判断したときは、その番組の内容や、その番組が選択されたときの時刻及び位置情報等、番組選択に関する各種情報をデータベースとして記憶部１１に記憶させる。
【００５３】
記憶部１１に記憶されるデータベースのフォーマットの一例を図２乃至図４に示す。なお、記憶部１１に記憶されるデータベースは、ここで挙げる例に限定されるものではなく、要求される性能等に応じて適宜変更が可能である。
【００５４】
この図２乃至図４に示す例では、記憶部１１には、過去の番組選択履歴を示すデータベースとして、対象となるラジオ番組が選択された日及び曜日と、そのラジオ番組が選択された時刻及びそのラジオ番組が次の番組に切り換えられた時刻、そのラジオ番組が選択された場所を示す位置情報がそれぞれ格納される。これらの情報は、時刻／位置情報取得部９から制御部１０に現在時刻や現在位置情報が供給されることで制御部１０に把握され、記憶部１１に格納される。
【００５５】
また、記憶部１１には、過去の番組選択履歴を示すデータベースとして、選択されたラジオ番組の番組名と、そのラジオ番組を放送している放送局、そのラジオ番組の番組放送時間、そのラジオ番組が属するジャンルがそれぞれ格納される。これらの情報は、番組情報取得部８から制御部１０に番組情報が供給されることで制御部１０に把握され、記憶部１１に格納される。
【００５６】
以上のような情報がデータベースとして記憶部１１に記憶されていることで、制御部１０は、新たに乗員に提示するラジオ番組の選択を行う際に、データベースを参照して過去に選択されたラジオ番組の内容や、その番組が選択されたときの時刻及び位置情報を認識できるようになっている。
【００５７】
また、記憶部１１には、過去の番組選択履歴を示すデータベースとして、車載オーディオ装置１が起動されてから対象となるラジオ番組が選択されるまでの経過時間と、そのラジオ番組が選択された順番、乗員の属性情報としての乗員ＩＤ、そのラジオ番組の優先度がそれぞれ格納される。
【００５８】
車載オーディオ装置１が起動されてから対象となるラジオ番組が選択されるまでの経過時間は、制御部１０が、車載オーディオ装置１の起動時刻と、対象となるラジオ番組が選択されたときの時刻とに基づいて算出し、記憶部１１に格納する。また、対象となるラジオ番組が選択された順番は、制御部１０が、車載オーディオ装置１が起動されたときからラジオ番組の選択が行われた回数を計数しておくことで把握し、記憶部１１に格納する。また、乗員ＩＤは、車載オーディオ装置１の起動時に乗員が操作入力部７から自らのＩＤを入力することで制御部１０に把握され、記憶部１１に格納される。また、対象となるラジオ番組の優先度は、例えば、番組放送時間に対する実際の聴時間の割合に応じて制御部１０により判断され、優先度が高いラジオ番組を「１」、優先度が低いラジオ番組を「２」として記憶部１１に格納される。なお、図２に示す例では、対象となるラジオ番組の優先度を２段階で評価するようにしているが、より多段階の評価を行うようにしてもよい。また、優先度の判断は、番組放送時間に対する実際の聴時間の割合を判断基準とする以外にも、例えば、番組放送時間の終了まで次の番組に切り換えられなかったこと等、他の判断基準に基づいて行うようにしてもよい。
【００５９】
以上のような情報がデータベースとして記憶部１１に記憶されていることで、制御部１０は、新たに乗員に提示するラジオ番組の選択を行う際に、データベースを参照して過去のラジオ番組が選択されたときの状況や優先度等、更に詳細な情報を認識し、これらの情報を番組選択に反映させることができるようになっている。
【００６０】
更に、記憶部１１には、乗員の嗜好を判断するための情報として、図３に示すような、過去に選択された同一のラジオ番組の合計選択回数や、図４に示すような、過去に選択されたラジオ番組の属するジャンルの合計選択回数等の情報も格納される。これら同一のラジオ番組の合計選択回数や同一ジャンルの合計選択回数は、制御部１０により計数されて記憶部１１に格納され、新たに選択されたラジオ番組の情報が書き込まれる毎に更新されることになる。
【００６１】
以上のような乗員の嗜好を判断するための情報がデータベースとして記憶部１１に記憶されていることで、制御部１０は、新たに乗員に提示するラジオ番組の選択を行う際に、データベースを参照して、個別の番組毎の乗員の嗜好やジャンルに応じた乗員の嗜好を認識し、これらの乗員の嗜好を番組選択に反映させることができるようになっている。
【００６２】
ここで、本発明を適用した車載オーディオ装置１の処理動作について、図５乃至図８のフローチャートを参照して説明する。なお、ここでは説明を分かり易くするために、車載オーディオ装置１の処理動作を、番組選択に関する各種情報をデータベースとして記憶部１１に記憶させる処理と、受信した複数のラジオ放送の中から特定のラジオ放送を選択する処理とを分けて説明するが、実際にはこれらの処理が一連の処理として連続して行われることになる。
【００６３】
先ず、本発明を適用した車載オーディオ装置１において、番組選択に関する各種情報をデータベースとして記憶部１１に記憶させる処理について、図５及び図６を参照して説明する。
【００６４】
ステップＳ１−１において、自動車の乗員による操作入力により、電源がＯＮされて車載オーディオ装置１が起動され、乗員ＩＤが入力されると、次に、ステップＳ１−２において、制御部１０による制御のもとで、時刻／位置情報取得部９により車載オーディオ装置１の起動時刻（年月日や曜日も含む）が取得される。また、ステップＳ１−３において、制御部１０による制御のもとで、番組情報取得部８により放送局から放送されるラジオ番組の番組情報が取得される。これら時刻／位置情報取得部９により取得された車載オーディオ装置１の起動時刻や、番組情報取得部８により取得された番組情報は、制御部１０のＲＡＭ等に一時的に格納される。
【００６５】
ここで、ステップＳ１−４において、任意のラジオ番組が選択されて乗員に提示されると、制御部１０による制御のもとで、時刻／位置情報取得部９によりこのラジオ番組が選択されたときの時刻や位置情報が取得され、制御部１０のＲＡＭ等に一時的に格納される。そして、ステップＳ１−５において、乗員に提示されていたラジオ番組が次の番組に切り換えられると、ステップＳ１−６において、制御部１０による制御のもとで、時刻／位置情報取得部９によりこのラジオ番組が次の番組に切り換えられたときの時刻が取得され、制御部１０のＲＡＭ等に一時的に格納される。
【００６６】
次に、ステップＳ１−７において、制御部１０により、乗員に提示されていたラジオ番組が選択されたときの時刻と次の番組に切り換えられたときの時刻とから、この番組の聴時間が演算される。そして、ステップＳ１−８において、乗員に提示されていたラジオ番組の聴時間が、予め設定された所定の時間以上であったかどうかが制御部１０により判断される。
【００６７】
このステップＳ１−８において、乗員に提示されていたラジオ番組の聴時間が、予め設定された所定の時間以上であったと判断されたときは、このラジオ番組が乗員の望む番組であったと判断され、ステップＳ１−９において、制御部１０による制御のもとで、図２乃至図４に示したような番組選択に関する各種情報がデータベースとして記憶部１１に格納される。
【００６８】
一方、ステップＳ１−８において、乗員に提示されていたラジオ番組の聴時間が、予め設定された所定の時間に満たないと判断されたときは、ステップＳ１−１０において、ラジオ放送受信部２により乗員に提示されていたラジオ番組の受信感度が取得され、ステップＳ１−１１において、受信感度が低下したためにこのラジオ番組の切り換えが行われたかどうかが制御部１０により判断される。
【００６９】
このステップＳ１−１１において、乗員に提示されていたラジオ番組が受信感度が低下したために次の番組に切り換えられたと判断されたときは、このラジオ番組が乗員の望む番組であったと判断され、ステップＳ１−９において、制御部１０による制御のもとで、図２乃至図４に示したような番組選択に関する各種情報がデータベースとして記憶部１１に格納される。
【００７０】
一方、ステップＳ１−１１において、乗員に提示されていたラジオ番組の切り換えが受信感度の低下によるものではないと判断されたときは、ステップＳ１−１２において、制御部１０のＲＡＭ等に一時的に格納された番組情報に基づき、乗員に提示されていたラジオ番組の内容が解析される。そして、ステップＳ１−１３において、乗員に提示されていたラジオ番組が区切りの良いところで次の番組に切り換えられたかどうかが制御部１０により判断される。
【００７１】
このステップＳ１−１３において、乗員に提示されていたラジオ番組が区切りの良いところで次の番組に切り換えられたと判断されたときは、このラジオ番組が乗員の望む番組であったと判断され、ステップＳ１−９において、制御部１０による制御のもとで、図２乃至図４に示したような番組選択に関する各種情報がデータベースとして記憶部１１に格納される。
【００７２】
一方、ステップＳ１−１３において、乗員に提示されていたラジオ番組が区切りの良いところで次の番組に切り換えられていないと判断されたときは、このラジオ番組が乗員の望む番組ではなかったと判断され、ステップＳ１−１４において、この番組の選択に関する情報は破棄される。
【００７３】
そして、ステップＳ１−９において番組選択に関する各種情報がデータベースとして記憶部１１に格納された後、或いは、ステップＳ１−１４において番組選択に関する情報が破棄された後に、ステップＳ１−１５において、乗員による操作入力或いは自動車のエンジン停止等により車載オーディオ装置１の電源がＯＦＦされると、車載オーディオ装置１における以上のような処理シーケンスが終了する。一方、車載オーディオ装置１の電源がＯＦＦされない場合は、ステップＳ１−４に戻り、ステップＳ１−４以降の一連の処理が繰り返し行われることになる。
【００７４】
次に、本発明を適用した車載オーディオ装置１において、受信した複数のラジオ放送の中から特定のラジオ放送を選択する処理について、図７及び図８を参照して説明する。
【００７５】
ステップＳ２−１において、自動車の乗員による操作入力により、電源がＯＮされて車載オーディオ装置１が起動され、乗員ＩＤが入力されると、次に、ステップＳ２−２において、制御部１０による制御のもとで、時刻／位置情報取得部９により車載オーディオ装置１の起動時刻（年月日や曜日も含む）が取得される。また、ステップＳ２−３において、制御部１０による制御のもとで、番組情報取得部８により放送局から放送されるラジオ番組の番組情報が取得される。これら時刻／位置情報取得部９により取得された車載オーディオ装置１の起動時刻や、番組情報取得部８により取得された番組情報は、制御部１０のＲＡＭ等に一時的に格納される。
【００７６】
そして、ステップＳ２−４において、ラジオ放送受信部２により放送局から放送される複数のラジオ番組が受信され、例えば起動時に設定されていたチャンネルのラジオ番組等、任意のラジオ番組が乗員に提示されると、ステップＳ２−５において、制御部１０による制御のもとで、時刻／位置情報取得部９により現在時刻や現在位置情報が取得されると共に、制御部１０のＲＡＭ等に一時的に格納されている各種情報が読み出され、現時点における様々な状況、具体的には、現在時刻（年月日や曜日も含む）や現在位置、乗員ＩＤ、現在放送されているラジオ番組の情報等が制御部１０により把握される。
【００７７】
また、ステップＳ２−６において、記憶部１１に記憶されたデータベースが参照され、過去の番組選択履歴が制御部１０により把握される。そして、ステップＳ２−７において、現時点における様々な状況と過去の番組選択履歴とから、現在提示されている任意のラジオ番組よりも、現時点で乗員の要求により適合したラジオ番組があるかどうかが制御部１０により判断される。
【００７８】
具体的には、制御部１０は、例えば、過去の視聴履歴の中で乗員ＩＤや番組選択を行った位置が現状に一致或いは近いラジオ番組、過去の視聴履歴の中で曜日が現状に一致し、車載オーディオ装置１の起動時からの経過時間や順番が現状に一致或いは近いラジオ番組を、乗員の番組毎の嗜好やジャンルに応じた嗜好を加味して、受信可能な複数のラジオ番組の中から抽出する。そして、抽出されたラジオ番組が現在提示されている任意のラジオ番組と一致するか否かによって、現時点で乗員の要求により適合したラジオ番組があるかどうかを判断する。
【００７９】
そして、このステップＳ２−７において、現在提示されている任意のラジオ番組が、現時点で乗員の要求に最も適合した番組であると判断されたときは、ステップＳ２−５に戻って、それ以降の一連の処理が繰り返し行われることになる。
【００８０】
一方、ステップＳ２−７において、現在提示されている任意のラジオ番組よりも、現時点で乗員の要求により適合したラジオ番組があると判断されたときは、このラジオ番組が乗員に提示すべき番組として選択される。そして、ステップＳ２−８において、例えば乗員からの操作入力に基づいて、現在提示されている任意のラジオ番組を新たに選択されたラジオ番組に即座に切り換えるかどうかが、制御部１０によって判断される。
【００８１】
このステップＳ２−８において、現在提示されている任意のラジオ番組を新たに選択されたラジオ番組に即座に切り換えると判断されたときは、ステップＳ２−９において、制御部１０による制御のもとで番組切り換え部４による番組切り換え操作が行われ、スピーカ３から新たに選択されたラジオ番組が出力されて、乗員に提示されることになる。
【００８２】
一方、ステップＳ２−８において、番組の切り換えを即座に行わないと判断されたときは、ステップＳ２−１０において、制御部１０による制御のもとで記録再生部６による記録動作が行われ、新たに選択されたラジオ番組が記録媒体５に記録される。そして、ステップＳ２−１１において、現在提示されている任意のラジオ番組の終了、或いは、車載オーディオ装置１が新たに起動された直後等、区切りの良いタイミングが制御部１０により判断され、ステップＳ２−１２において、区切りの良いタイミングで記録再生部６による再生動作が行われ、記録媒体５に記録されたラジオ番組が再生されてスピーカ３から出力され、乗員に提示されることになる。
【００８３】
そして、ステップＳ２−９において新たに選択されたラジオ番組が乗員に提示された後、或いは、ステップＳ２−１２において記録媒体５に記録されたラジオ番組が再生されて乗員に提示された後に、ステップＳ２−１３において、乗員による操作入力或いは自動車のエンジン停止等により車載オーディオ装置１の電源がＯＦＦされると、車載オーディオ装置１における以上のような処理シーケンスが終了する。一方、車載オーディオ装置１の電源がＯＦＦされない場合は、ステップＳ２−５に戻り、ステップＳ２−５以降の一連の処理が繰り返し行われることになる。
【００８４】
以上説明したように、本発明を適用した車載オーディオ装置１では、新たに乗員に提示するラジオ番組を選択する際に、制御部１０が、記憶部１１に記憶された過去の番組選択履歴を示すデータベースと、番組情報取得部８から供給される番組情報をもとに作成される番組表と、時刻／位置情報取得部９から供給される現在時刻や現在位置情報に基づいて、ラジオ放送受信部２により受信された複数のラジオ番組の中から、乗員が現時点で要求するであろうラジオ番組を予測し、その予測結果を指標として番組の選択を行うようにしているので、例えば乗員によるキーワード情報の入力といったような煩雑な作業を不要としながら、時刻や場所に応じた乗員の視聴傾向を忠実に反映した番組選択を行うことができる。
【００８５】
また、この車載オーディオ装置１では、制御部１０が、新たに乗員に提示するラジオ番組を選択したときに番組切り換え部４を制御して、選択したラジオ番組をスピーカ３から出力させ、或いは、記録再生部６を制御して、選択したラジオ番組を記録媒体５に記録させるようにしているので、乗員による運転中の番組切り換え操作を不要としながら乗員の要求する番組を提示することができ、番組切り換え操作が運転操作に悪影響を及ぼすといった不都合を未然に防止することができる。
【図面の簡単な説明】
【図１】本発明を適用した車載オーディオ装置の構成を示すブロック図である。
【図２】前記車載オーディオ装置の記憶部に記憶されるデータベースの一例を示す図である。
【図３】前記車載オーディオ装置の記憶部に記憶されるデータベースの一例を示す図である。
【図４】前記車載オーディオ装置の記憶部に記憶されるデータベースの一例を示す図である。
【図５】前記車載オーディオ装置の処理動作を説明するための図であり、番組選択に関する各種情報をデータベースとして記憶部に記憶させる処理を説明するフローチャートである。
【図６】前記車載オーディオ装置の処理動作を説明するための図であり、番組選択に関する各種情報をデータベースとして記憶部に記憶させる処理を説明するフローチャートである。
【図７】前記車載オーディオ装置の処理動作を説明するための図であり、受信した複数のラジオ放送の中から特定のラジオ放送を選択する処理を説明するフローチャートである。
【図８】前記車載オーディオ装置の処理動作を説明するための図であり、受信した複数のラジオ放送の中から特定のラジオ放送を選択する処理を説明するフローチャートである。
【符号の説明】
１    車載オーディオ装置
２    ラジオ放送受信部
４  番組切り換え部
６  記録再生部
７  操作入力部
８  番組情報取得部
９  時刻／位置情報取得部
１０  制御部
１１  記憶部
【図１】
0003598979.tif 000002
【図２】
0003598979.tif 000003
【図３】
0003598979.tif 000004
【図４】
0003598979.tif 000005
【図５】
0003598979.tif 000006
【図６】
0003598979.tif 000007
【図７】
0003598979.tif 000008
【図８】
0003598979.tif 000009